(57)【要約】【課題】送風騒音を効果的に低減すると共に送風性能を向上できるようにした空気調和機の室外機、換気扇等に用いられるプロペラファンを提供する。【解決手段】回転中心となるハブ１と、同ハブ１の外周部に放射状に突設された複数の翼片２とからなるプロペラファン３において、前記翼片２の回転方向となる前縁部２ａであって、前記ハブ１と前記翼片２の外周部との間に回転方向に向かって突出する突起２ｃを設けたことにより、該箇所に微小な渦が発生すると共に空気の剥離に時間的なズレが生じ、ファン回転時に生じる空気の剥離が前記翼片２の前縁部２ａ全長区間で連続的に生じないようになって送風性能を向上できるようになり、翼ピッチ音として生じる風切り音を低減できる。【選択図】  図１
2004339957.tif 000002
【特許請求の範囲】
【請求項１】
回転中心となるハブと、同ハブの外周部に放射状に突設された複数の翼片とからなるプロペラファンにおいて、
前記翼片の回転方向となる前縁部であって、前記ハブと前記翼片の外周部との間に回転方向に向かって突出する突起が設けられてなることを特徴とするプロペラファン。
【請求項２】
前記突起が、前記翼片の先端部と相似する形状に形成されてなることを特徴とする請求項１に記載のプロペラファン。
【請求項３】
前記ハブ、前記翼片および前記突起が一体成形されてなることを特徴とする請求項１または請求項２に記載のプロペラファン。
【発明の詳細な説明】
【０００１】
【発明の属する技術分野】
本発明は、空気調和機の室外機、換気扇等に用いられるプロペラファンに係わり、より詳細には、送風騒音を効果的に低減すると共に送風性能を向上できるようにした構造に関する。
【０００２】
【従来の技術】
従来のプロペラ（軸流）ファンには、回転中心となるハブと、同ハブの外周部に放射状に設けられた複数の翼片とからなる軸流ファンにおいて、前記翼片外周部からの空気吸込を積極的に促進するため、前記各翼片の外周部に、回転方向に向かって鋭角的に突出する吸込補助翼を夫々設けたものがあった（例えば、特許文献１参照。）。
【０００３】
しかしながら、前記吸込補助翼を設けたことで前記翼片外周部からの空気吸込を積極的に促進できる反面、前記翼片による風切り音を低減できるといった効果は期待できなかった。
【０００４】
または、夫々の羽根（翼片）における回転方向後側の縁部を部分的に変位させて空気の剥離が連続的に生じないようにすることにより、ファン回転時の風切り音が小さくなるようにしたものがあった（例えば、特許文献２参照。）。
【０００５】
しかしながら、羽根（翼片）における回転方向後側の縁部を部分的に変位させたものであり、回転時における各羽根（翼片）の後縁で生じる空気の剥離を、その後縁全長区間で時間的なズレをもって発生させるようにした構成であることから、回転方向となる前縁部で風を切ることによって生じる風切り音を効果的に低減できるようにしたものではなかった。
【０００６】
【特許文献１】
特開平５−２９６１９５号公報（第１頁〜第２頁、第１図〜第４図）
【特許文献２】
特開平８−１２１１３８６号公報（第１頁〜第４頁、第１図）
【０００７】
【発明が解決しようとする課題】
本発明においては、上記の問題点に鑑み、送風騒音を効果的に低減すると共に送風性能を向上できるようにした空気調和機の室外機、換気扇等に用いられるプロペラファンを提供することを目的とする。
【０００８】
【課題を解決するための手段】
本発明は、上記課題を解決するため、回転中心となるハブと、同ハブの外周部に放射状に突設された複数の翼片とからなるプロペラファンにおいて、
前記翼片の回転方向となる前縁部であって、前記ハブと前記翼片の外周部との間に回転方向に向かって突出する突起が設けられてなる構成となっている。
【０００９】
また、前記突起が、前記翼片の先端部と相似する形状に形成されてなる構成となっている。
【００１０】
更に、前記ハブ、前記翼片および前記突起が一体成形されてなる構成となっている。
【００１１】
【発明の実施の形態】
以下、本発明の実施の形態を図面に基づいた実施例として詳細に説明する。
図１は本発明によるプロペラファンが用いられた空気調和機の室外機の平面図、図２は本発明によるプロペラファンが用いられた空気調和機の室外機の説明図で、（Ａ）は図１で示すＡ矢視図、（Ｂ）は図２（Ａ）で示すＣ部の拡大図であり、これらの図に基づいて、本発明によるプロペラファンを空気調和機の室外機に用いられた事例として以下に説明する。
【００１２】
本発明によるプロペラファンが用いられた空気調和機の室外機は、図で示すように、底板ａ上が、同底板ａ上に立設された仕切板ｂによって圧縮機室および熱交換器室に区画され、前記圧縮機室に圧縮機ｃおよび電装品箱ｄが設けられ、前記熱交換器室に熱交換器ｅおよびこれに対向するプロペラファン３が設けられると共に、前記底板ａに外胴ｆが被着されてなる構成となっている。
【００１３】
上記構成により、前記外胴ｆの背面および側面に設けられた吸込口ｇから、前記プロペラファン３によって吸い込まれた空気が、前記熱交換器ｅによって熱交換されたのち、前記外胴ｆの前面に設けられた吹出口ｈから吹き出されるようになっている。
【００１４】
ここで、上記構成でなる空気調和機の室外機、換気扇またはレンジフード等に用いられるプロペラファンに求められている性能を考察すると、上記特許文献２に記載されているように、ファンを回転させた場合、各羽根（翼片）の吸込み方向や回転方向に対する傾斜の向き、傾斜角度、反り角度、或いは中心部（ハブ）に対する各羽根（翼片）の取付角度、さらには各羽根（翼片）における外周縁や、回転方向となる前縁部、回転方向となる後縁部の節弦比等の各種条件を適宜設定して、給排気効率に優れ、且つ騒音値の低いプロペラファンを提供する試みがなされている。
【００１５】
本発明による前記プロペラファン３は、とくに回転時の送風性能を高め、且つ騒音値を低減させるため、回転中心となるハブ１と、同ハブ１の外周部に放射状に突設された複数の翼片２とからなり、同翼片２の回転方向となる前縁部２ａに、同翼片２の回転方向に向かって突出する突起２ｃが設けられてなる構成となっている。
【００１６】
前記突起２ｃが設けられたことにより、同突起２ｃを備えた前記翼片２の回転方向となる前縁部２ａで空気を切りかいた際、該箇所に微小な渦が発生すると共に空気の剥離に時間的なズレが生じるようになり、ファン回転時に生じる空気の剥離が前記翼片２の前縁部２ａ全長区間で連続的に生じないようになって、ファン回転時に送風性能を向上できるようになり、また、所謂翼ピッチ音として生じる風切り音を低減できるようになっている。
【００１７】
また、前記翼ピッチ音は、前記プロペラファン３が回転する時「回転数×翼枚数÷６０×ｎ（整数倍）」の周波数（Ｈｚ）で発生し、これとファンモータが発生する電磁音とが共振すると「うなり」となって耳障りな騒音になってしまうことが知られているが、前記突起２ｃを設けて空気の剥離に時間的なズレをもたせることで発生する周波数（Ｈｚ）に変化を与えることにより、耳障りな騒音となる上記「うなり」を生じさせないようにしている。
【００１８】
また、前記突起２ｃが、前記翼片２の先端部２ｂと相似する形状で前記前縁部２ａに突設された構成にすることにより、該箇所に微小な渦を効果的に発生させ、空気の剥離に時間的なズレを効果的にもたせることができるようになって、ファン回転時に、送風性能を向上できるようになると共に、所謂翼ピッチ音として生じる風切り音や上記「うなり」を効果的に低減できるようになる。
【００１９】
なお、前記突起２ｃは、図示はしないが、前記翼片２の先端部２ｂを部分的（鋭角状）に切欠することによって形成するようにしてもよいし、または、図示はしないが、前記翼片の回転方向となる前縁部であって、前記ハブと前記翼片の外周部との間に回転方向に向かってノコギリ形状により複数突出させるようにしてもよい。
【００２０】
また、前記ハブ１、前記翼片２および前記突起２ｃは、例えば合成樹脂製として一体成形されることで正確な寸法および形状によって廉価に形成できるようになる。
【００２１】
【発明の効果】
以上説明したように、本発明によれば、送風騒音を効果的に低減すると共に送風性能を向上できるようにした空気調和機の室外機、換気扇等に用いられるプロペラファンとなる。
【図面の簡単な説明】
【図１】本発明によるプロペラファンが用いられた空気調和機の室外機の平面図である。
【図２】本発明によるプロペラファンが用いられた空気調和機の室外機の説明図で、（Ａ）は図１で示すＡ矢視図であり、（Ｂ）は図２（Ａ）で示すＣ部の拡大図である。
【符号の説明】
１  ハブ
２  翼片
２ａ  前縁部
２ｂ  先端部
２ｃ  突起
３  プロペラファン
ａ  底板
ｂ  仕切板
ｃ  圧縮機
ｄ  電装品箱
ｅ  熱交換器
ｆ  外胴
ｇ  吸込口
ｈ  吹出口
【図１】
2004339957.tif 000003
【図２】
2004339957.tif 000004